(57)【要約】【課題】文字盤の組立て作業の容易化を図ると共に、部品を強固に固定でき、衝撃や振動に耐えられる腕時計の文字盤構造を提供することにある。【解決手段】腕時計本体１１に一端部が接続され、他端部がバックル１６に接続される数珠玉からなる腕時計バンドにおいて、腕時計本体１１またはバックル１６に両端部が着脱可能に取付けられるシャフト２２と、シャフト２２に嵌合されるとともに、外周面にその周方向に沿う環状溝２０を有した糸巻き筒体１９と、端部に折り返しループ部２４ａを有する数珠玉繋ぎ用糸２４が、多数の数珠玉２５を貫通するとともに、折り返しループ部２４ａが糸巻き筒体１９の環状溝２０に掛け渡し係合されて腕時計本体１１とバックル１６とを接続する数珠玉バンド本体１５とを具備したことを特徴とする。【選択図】図２
0003116218.tif 000002
【実用新案登録請求の範囲】
【請求項１】
腕時計本体に一端部が接続され、他端部がバックルに接続される数珠玉からなる腕時計バンドにおいて、
前記腕時計本体またはバックルに両端部が着脱可能に取付けられるシャフトと、
前記シャフトに嵌合されるとともに、外周面にその周方向に沿う環状溝を有した糸巻き筒体と、
端部に折り返しループ部を有する数珠玉繋ぎ用糸が、多数の数珠玉を貫通するとともに、前記折り返しループ部が前記糸巻き筒体の環状溝に掛け渡し係合されて前記腕時計本体とバックルとを接続する数珠玉バンド本体と、
を具備したことを特徴とする腕時計バンド。
【請求項２】
前記数珠玉は、真珠、ビーズ玉、オニキスまたは木製玉であることを特徴とする請求項１記載の腕時計バンド。
【請求項３】
前記環状溝に数珠玉繋ぎ用糸が掛け渡された糸巻き筒体は、その外周が糸巻きカバーで覆われていることを特徴とする請求項１記載の腕時計バンド。
【請求項４】
周方向の少なくとも一箇所に接続部材を有し、この接続部材を介して環状に接続された数珠玉からなるブレスレットにおいて、
前記接続部材に両端部が着脱可能に取付けられるシャフトと、
前記シャフトに嵌合されるとともに、外周面にその周方向に沿う環状溝を有した糸巻き筒体と、
端部に折り返しループ部を有する数珠玉繋ぎ用糸が、多数の数珠玉を貫通するとともに、前記折り返しループ部が前記糸巻き筒体の環状溝に掛け渡し係合されて環状に接続される数珠玉ブレスレット本体と、
を具備したことを特徴とするブレスレット。
【考案の詳細な説明】
【技術分野】
【０００１】
この考案は、数珠玉からなる腕時計バンド及びブレスレットに関する。
【背景技術】
【０００２】
腕時計バンドを真珠、ビーズ玉、オニキスまたは木製玉からなる数珠玉によって製作したものが知られている。数珠玉は、数珠玉繋ぎ用糸を二つ折りして折り返しループ部を形成した数珠玉繋ぎ用糸を多数の数珠玉の貫通穴に貫通して繋げることにより構成されている。
【考案の開示】
【考案が解決しようとする課題】
【０００３】
ところが、腕時計本体に、数珠玉からなるバンドを設ける場合、腕時計本体に設けられた糸巻き筒体に数珠玉繋ぎ用糸を二つ折りして形成した折り返しループ部を掛け渡して接続し、この数珠玉繋ぎ用糸の折り返しループ部と反対側から真珠等の数珠玉を通すことにより組立てている。従って、組立て作業が面倒であるとともに、組立て時に腕時計本体に傷等を付けないように細心の注意を払う必要がある。
この考案は、前記事情に着目してなされたもので、その目的とするところは、数珠玉の組立て作業の容易化を図ると共に、組立て時に腕時計本体に傷等を付けることがない腕時計バンドを提供することにある。
【課題を解決するための手段】
【０００４】
この考案は、前述した目的を達成するために、請求項１は、腕時計本体に一端部が接続され、他端部がバックルに接続される数珠玉からなる腕時計バンドにおいて、前記腕時計本体またはバックルに両端部が着脱可能に取付けられるシャフトと、前記シャフトに嵌合されるとともに、外周面にその周方向に沿う環状溝を有した糸巻き筒体と、端部に折り返しループ部を有する数珠玉繋ぎ用糸が、多数の数珠玉を貫通するとともに、前記折り返しループ部が前記糸巻き筒体の環状溝に掛け渡し係合されて前記腕時計本体とバックルとを接続する数珠玉バンド本体とを具備したことを特徴とする。
【０００５】
請求項２は、請求項１の前記数珠玉は、真珠、ビーズ玉、オニキスまたは木製玉であることを特徴とする。
【０００６】
請求項３は、請求項１の前記環状溝に数珠玉繋ぎ用糸が掛け渡された糸巻き筒体は、その外周が糸巻きカバーで覆われていることを特徴とする。
【０００７】
請求項４は、周方向の少なくとも一箇所に接続部材を有し、この接続部材を介して環状に接続された数珠玉からなるブレスレットにおいて、前記接続部材に両端部が着脱可能に取付けられるシャフトと、前記シャフトに嵌合されるとともに、外周面にその周方向に沿う環状溝を有した糸巻き筒体と、端部に折り返しループ部を有する数珠玉繋ぎ用糸が、多数の数珠玉を貫通するとともに、前記折り返しループ部が前記糸巻き筒体の環状溝に掛け渡し係合されて環状に接続される数珠玉ブレスレット本体とを具備したことを特徴とする。
【考案の効果】
【０００８】
この考案によれば、数珠玉の組立て作業の容易化を図ると共に、組立て時に腕時計本体に傷等を付けることがない腕時計バンド及びブレスレットを提供できる。
【考案を実施するための最良の形態】
【０００９】
以下、この考案の実施の形態を図面に基づいて説明する。
【００１０】
図１は第１の実施形態に示す腕時計を示し、１１は腕時計本体である。腕時計本体１１の内部には文字盤１２が設けられ、この文字盤１２の上部にはガラス板１３が装着されている。腕時計本体１１の外部には一対のバンド取付け部１４が対称的に設けられている。これらバンド取付け部１４には数珠玉バンド本体１５の一端部が接続され、この他端部にはバックル１６が接続されている。バックル１６においても、図示しないが、バンド取付け部１４と同一構造のバンド取付け部が設けられている。
【００１１】
腕時計本体１１のバンド取付け部１４について説明すると、図２(ａ)(ｂ)に示すように、略コ字状の凹陥部１４ａに形成され、凹陥部１４ａの左右両端部には互いに対向する取付け穴１７を有する突出片１８が設けられている。バンド取付け部１４の凹陥部１４ａには糸巻き筒体１９が後述する手段によって取付けられ、この糸巻き筒体１９に前記数珠玉バンド本体１５の一端部が接続されている。
【００１２】
すなわち、図３に示すように、糸巻き筒体１９は、一対の突出片１８間に僅かな隙間を介して介在されるように一対の突出片１８の間隔に略等しい長さを有する円筒体である。糸巻き筒体１９の外周面にはその周方向に沿って等間隔に３本の環状溝２０が設けられている。糸巻き筒体１９の軸心にはその軸方向に貫通穴２１が設けられ、この貫通穴２１には糸巻き筒体１９より長いシャフト２２が軸方向に移動自在に挿通されている。さらに、シャフト２２と貫通穴２１との間には断面がＣ字状のパイプ２３が介在され、このパイプ２３はシャフト２２に対して軸方向に移動可能に嵌合されている。
【００１３】
パイプ２３は糸巻き筒体１９と同一長さで、突出片１８の内面に当接して糸巻き筒体１９の両端から突出せず、シャフト２２のみが糸巻き筒体１９の両端から突出している。そして、シャフト２２の両端部は一対の突出片１８の取付け穴１７に挿入固定されている。
【００１４】
なお、ここで、糸巻き筒体１９をバンド取付け部１４から取り外す手順について説明すると、シャフト２２は、その端面が突出片１８の外側面から露出しているため、突出片１８の外側面からシャフト２２の一方の端面をピン等の工具で押し込むと、シャフト２２が糸巻き筒体１９に設けられたパイプ２３の内部をスライドする。そして、シャフト２２の他端部が他方の突出片１８の取付け穴１７から外側へ突出し、一端部が取付け穴１７から抜けて糸巻き筒体１９をバンド取付け部１４の凹陥部１４ａから取り外すことができる。
また、糸巻き筒体１９をバンド取付け部１４に取付けるには、シャフト２２の一端部を突出片１８の内側から取付け穴１７に位置決めし、他方の突出片１８の取付け穴１７から外側へ突出しているシャフト２２の端部を押し込むことにより、シャフト２２の一端部を突出片１８の内側から取付け穴１７に挿入固定できる。
また、糸巻き筒体１９の各環状溝２０には数珠玉繋ぎ用糸２４の折り返しループ部２４ａが掛け渡し接続されている。数珠玉繋ぎ用糸２４は、１本を二つ折りにしていることから２本引き揃えた状態となり、引き揃えた２本の数珠玉繋ぎ用糸２４は真珠からなる多数の数珠玉２５の貫通穴（図示しない）を貫通している。従って、糸巻き筒体１９には３列の数珠玉繋ぎが形成され、腕時計本体１１と反対側は同様な手段でバックル１６と接続され、数珠玉バンド本体１５が構成されている。
【００１５】
さらに、糸巻き筒体１９の外側には断面がＣ字状の糸巻きカバー２６によって覆われており、糸巻き筒体１９の環状溝２０に掛け渡された数珠玉繋ぎ用糸２４は外部から露出しないように覆われている。また、バックル１６における糸巻き筒体１９の外側も断面がＣ字状の糸巻きカバー２６によって覆われている。
【００１６】
このように構成された腕時計バンドによれば、腕時計本体１１と数珠玉バンド本体１５とを別の工程で製作することができ、別工程で製作した腕時計本体１１のバンド取付け部１４に対して数珠玉バンド本体１５の端部に設けられた糸巻き筒体１９をバンド取付け部１４に取付ければよく、腕時計本体１１に傷等を付けることなく簡単な作業で行うことができる。
なお、前記実施形態によれば、糸巻き筒体１９より長いシャフト２２と貫通穴２１との間に、断面がＣ字状のパイプ２３が介在され、このパイプ２３をシャフト２２に対して軸方向に移動可能に嵌合したが、図４に示す第２の実施形態に示すようなシャフト２７を用いてもよい。
すなわち、糸巻き筒体１９の内部に設けられたシャフト２７は、シャフト本体２８の両端部に軸方向に逃げ穴２９が設けられている。逃げ穴２９にはバネ３０を介してピン３１が突没自在に挿入され、バネ３０によってピン３１が突出方向に付勢されている。従って、糸巻き筒体１９をバンド取付け部１４に取付けるには、ピン３１を逃げ穴２９に没入させ、突出片１８の内側から取付け穴１７に位置決めし、ピン３１をバネ３０の付勢力によって突出片１８の取付け穴１７に挿入固定できる。
また、前記実施形態によれば、腕時計バンドについて説明したが、図５に示す第３の実施形態に示すように、ブレスレットにおいても同様に採用できる。すなわち、３２はブレスレットであり、周方向の少なくとも一箇所に接続部材３３が設けられ、この接続部材３３を介して数珠玉繋ぎ用糸(図示しない)によって接続された真珠からなる多数の数珠玉２５が環状に接続された数珠玉ブレスレット本体３４が構成されている。
【００１７】
前記接続部材３３は、第１の実施形態のバックル１６と同様の構造であり、基本的にはシャフト２７と、シャフト２７に嵌合される糸巻き筒体１９とを備え、数珠玉ブレスレット本体３４の端部が接続されている。
【００１８】
また、数珠玉として真珠を採用したが、数珠玉は、真珠、ビーズ玉、オニキスまたは木製玉、金属(ゲルマニウム、マグネットを内蔵した金属等)でもよく、数珠玉の材質に限定されるものではない。また、数珠玉は球状体に限定されず、円柱体、立方体、直方体形状でもよい。
【図面の簡単な説明】
【００１９】
【図１】この考案の第１の実施形態を示し、腕時計の平面図。
【図２】同実施形態を示し、(ａ)は腕時計本体の一部切欠した側面図、(ｂ)は矢印Ａ方向から見た図。
【図３】同実施形態を示し、(ａ)〜(ｄ)は糸巻き筒体、シャフト、パイプ、糸巻きカバーの側面図及び端面図。
【図４】この考案の第２の実施形態を示し、シャフトの一部切欠した側面図。
【図５】この考案の第３の実施形態を示し、ブレスレットの平面図。
【符号の説明】
【００２０】
１１…腕時計本体、１５…腕時計バンド本体、１６…バックル、１９…糸巻き筒体、２０…環状溝、２２…シャフト、２４…数珠玉繋ぎ用糸、２４ａ…折り返しループ部、２５…数珠玉
【図１】
0003116218.tif 000003
【図２】
0003116218.tif 000004
【図３】
0003116218.tif 000005
【図４】
0003116218.tif 000006
【図５】
0003116218.tif 000007